(57)【要約】【課題】被検体の体温計測に要する時間を短縮しかつ精度を向上できるセンサモジュールを提供する。【解決手段】センサモジュール１は、近赤外光を被検体に照射する一対の発光素子２２、２３と、被検体を経由した近赤外光を受光する受光素子２４と、を備えている。センサモジュール１は、一対の発光素子２２、２３及び受光素子２４を収容するケース体１０と、ケース体１０に収容された温度検出素子２５と、ケース体内において温度検出素子２５と熱的に結合された伝導部３１、及び被検体に接触可能なようにケース体１０から露出された接触部３２を一体に有する熱伝導部材３０と、を備えている。【選択図】図２
2018143259.tif 000002
【特許請求の範囲】
【請求項１】
近赤外光を被検体に照射する発光素子と、前記被検体を経由した前記近赤外光を受光する受光素子と、を有するセンサモジュールであって、
前記発光素子及び前記受光素子を収容するケース体と、
前記ケース体に収容された温度検出素子と、
前記ケース体内において前記温度検出素子と熱的に結合された伝導部、及び前記被検体に接触可能なように前記ケース体から露出された接触部を一体に有する熱伝導部材と、を備えていることを特徴とするセンサモジュール。
【請求項２】
前記熱伝導部材が、前記発光素子に近接して配置され、
前記温度検出素子によって検出された温度に基づき、前記発光素子から近赤外光を照射して前記熱伝導部材を予熱する予熱制御部と、をさらに備えている請求項１に記載のセンサモジュール。
【請求項３】
前記ケース体に収容され、前記発光素子及び前記受光素子が一方の面に実装された基板をさらに備え、
前記熱伝導部材の前記伝導部が、前記発光素子に対して前記受光素子を隠すように前記基板の前記一方の面に配置された遮光壁部を有している請求項１又は２に記載のセンサモジュール。
【請求項４】
前記ケース体内において前記発光素子と熱的に結合された熱吸収部、及び前記ケース体から露出された熱放出部を一体に有する放熱部材をさらに備えている請求項１〜３のいずれか一項に記載のセンサモジュール。
【発明の詳細な説明】
【技術分野】
【０００１】
近赤外光を被検体に照射する発光素子と、前記被検体を経由した前記近赤外光を受光する受光素子と、を有するセンサモジュールに関する。
【背景技術】
【０００２】
特許文献１に開示されているセンサノードは、脈拍を計測する脈拍センサと、体温または周囲温度を計測する温度センサと、を備える。
【０００３】
脈拍センサは、赤外線発光ダイオードとフォトトランジスタとを有し、いずれもセンサノード装着者の皮膚と対向するように配置される。この脈拍センサは、赤外線発光ダイオードで発生させた赤外光を皮下の血管に照射し、血流変動による血管からの散乱光の強度変化を検知し、その強度変化の周期から脈拍を推定する。温度センサは、装着者の体温や環境温度を計測する。
【先行技術文献】
【特許文献】
【０００４】
【特許文献１】特開２００６−３１２０１０号公報
【発明の概要】
【発明が解決しようとする課題】
【０００５】
しかしながら、上記センサノードは人体に装着されることから汗や塵埃から保護するために脈拍センサや温度センサなどをケース内に収容しているので、温度センサにケース外部の温度が伝わりにくく、温度計測に比較的長い時間を要し、さらに温度計測の精度が低いという問題があった。
【０００６】
そこで本発明は、上記従来の課題を解決するためのものであり、被検体の体温計測に要する時間を短縮しかつ精度を向上できるセンサモジュールを提供することを目的とする。
【課題を解決するための手段】
【０００７】
上記課題を解決するため、本発明の一態様は、近赤外光を被検体に照射する発光素子と、前記被検体を経由した前記近赤外光を受光する受光素子と、を有するセンサモジュールであって、前記発光素子及び前記受光素子を収容するケース体と、前記ケース体に収容された温度検出素子と、前記ケース体内において前記温度検出素子と熱的に結合された伝導部、及び前記被検体に接触可能なように前記ケース体から露出された接触部を一体に有する熱伝導部材と、を備えていることを特徴とするセンサモジュールである。このようにしたことから、熱伝導部材によって被検体の体温を温度検出素子に効率的に伝えることができる。
【０００８】
上記センサモジュールは、前記熱伝導部材が、前記発光素子に近接して配置され、前記温度検出素子によって検出された温度に基づき、前記発光素子から近赤外光を照射して前記熱伝導部材を予熱する予熱制御部と、をさらに備えていることが好ましい。このようにすることで、熱伝導部材をあらかじめ被検体の体温に近い温度まで温めることができるので、熱伝導部材が温まるまでの時間を短縮することができる。
【０００９】
上記センサモジュールは、前記ケース体に収容され、前記発光素子及び前記受光素子が一方の面に実装された基板をさらに備え、前記熱伝導部材の前記伝導部が、前記発光素子に対して前記受光素子を隠すように前記基板の前記一方の面に配置された遮光壁部を有していることが好ましい。このようにすることで、遮光壁部によって発光素子が照射した近赤外光が受光素子に直接受光されることを抑制できるので、計測ノイズを低減することができる。
【００１０】
上記センサモジュールは、前記ケース体内において前記発光素子と熱的に結合された熱吸収部、及び前記ケース体から露出された熱放出部を一体に有する放熱部材をさらに備えていてもよい。このようにすることで、発光素子から発生する熱が放熱部材によってケース体の内側から外側に放出されるので、ケース体内に熱がこもることによる温度検出への影響を抑制することができる。
【発明の効果】
【００１１】
本発明によれば、被検体の体温計測に要する時間を短縮しかつ精度を向上できる。
【図面の簡単な説明】
【００１２】
【図１】本発明の第１実施形態にかかるセンサモジュールの斜視図である。
【図２】図１のＡ−Ａ線に沿う断面図である。
【図３】発光素子が発する熱が熱伝導部材に伝わる様子を模式的に示す拡大断面図である。
【図４】被検体の熱が熱伝導部材を経由して温度検出素子に伝わる様子を模式的に示す拡大断面図である。
【図５】本発明の第２実施形態にかかるセンサモジュールの斜視図である。
【図６】図５のＢ−Ｂ線に沿う断面図である。
【図７】図５に示すセンサモジュールが有する放熱部材を説明する斜視図である。
【発明を実施するための形態】
【００１３】
以下、本発明の実施形態を図面に基づいて説明する。なお、以下の説明では、同一の部材には同一の符号を付し、一度説明した部材については適宜その説明を省略する。また、「上下」を示す記載は各部材間の相対的な位置関係を説明するために便宜的に用いているものであり、絶対的な位置関係を示すものではない。
【００１４】
（第１実施形態）
図１は、本発明の第１実施形態にかかるセンサモジュールの斜視図である。図２は、図１のＡ−Ａ線に沿う断面図である。図３は、発光素子が発する熱が熱伝導部材に伝わる様子を模式的に示す拡大断面図である。図４は、被検体の熱が熱伝導部材を経由して温度検出素子に伝わる様子を模式的に示す拡大断面図である。
【００１５】
図１に示す第１実施形態のセンサモジュール１は、ゴムバンドなどにより人の生体である被検体の腕や胸などに装着され、被検体の血中ヘモグロビン濃度、血中酸素濃度、心数及び体温などの生体情報を計測して、計測した生体情報を無線通信によりタブレット端末などの携帯端末に送信するものである。人以外の生体に装着してもよい。
【００１６】
図１、図２に示すように、センサモジュール１は、ケース体１０と、ケース体１０に収容された基板体２０と、熱伝導部材３０と、を有している。
【００１７】
ケース体１０は、センサモジュール１の筐体である。ケース体１０は、ケース１１と、カバー１２と、フランジ１５と、を有している。
【００１８】
ケース１１は、合成樹脂製であり、図２に示すように、矩形平板状の下壁１１ａと、下壁１１ａの周縁から立接した周壁１１ｂと、を有し、周壁１１ｂの上端側が開口した角形の器形状に形成されている。
【００１９】
カバー１２は、例えば、ＰＥＴシートなど、近赤外光を透過可能な透光性の合成樹脂シートで構成されている。カバー１２は、ケース１１の上記開口と対向するように配置された矩形平板状の基部１３と、基部１３の長手方向中央部に設けられた平面視矩形状の中空の突出部１４と、を有している。
【００２０】
フランジ１５は、例えば、シリコーンゴムなどの柔軟性を有する材料で板環状に形成され、内周縁１５ａがケース１１と後述する熱伝導部材３０との間に挟持され、内周縁１５ａから外周縁１５ｂに向けて斜め上方に延びている。
【００２１】
基板体２０は、ケース体１０内に収容されており、ケース１１の上記開口を塞ぐように配置されている。基板体２０は、ガラスエポキシ基板に銅箔で配線パターンが形成されたプリント基板である基板２１と、基板２１の上面２１ａに実装された一対の発光素子２２、２３と、基板２１の上面２１ａの一対の発光素子２２、２３の間に実装された受光素子２４と、基板２１の下面２１ｂに実装された温度検出素子２５及びマイクロコンピュータ（以下、単に「マイコン」という。）２６と、を有している。
【００２２】
一対の発光素子２２、２３は、近赤外光を含む光を発する光源であり、赤外発光ダイオード素子やレーザー素子により構成されている。一対の発光素子２２、２３は、カバー１２の基部１３の長手方向両端部に対応する箇所に互いに間隔をあけ上方に向けて収容されている。一対の発光素子２２、２３は、カバー１２を透過して上方に向けて光を発することができるように設けられている。
【００２３】
一対の発光素子２２、２３は、光を発することにより生じる熱が後述する熱伝導部材３０に伝導して当該熱伝導部材３０を温めることが可能なように、当該熱伝導部材３０に近接して配置されている。
【００２４】
受光素子２４は、近赤外光に感度を有するセンサであり、フォトダイオードにより構成されている。受光素子２４は、一対の発光素子２２、２３の間に配置されてこれら一対の発光素子２２、２３と一直線上に並べられており、カバー１２の突出部１４に対応する箇所に上方に向けて収容されている。受光素子２４は、カバー１２を透過した近赤外光を検出することができるように設けられている。受光素子２４は、受光した近赤外光に応じた信号を出力する。
【００２５】
温度検出素子２５は、パッケージ２５ａの表面に伝わる温度を検出する温度センサＩＣを用いて構成している。温度検出素子２５のパッケージ２５ａは、基板２１と接するように配置されており、温度検出素子２５は、基板２１を介して後述する熱伝導部材３０から伝わる温度を検出するように設けられている。温度検出素子２５は、検出した温度に応じた信号を出力する。
【００２６】
マイコン２６は、組込機器向けのマイクロコンピュータであって、ＣＰＵ、メモリ、及び無線通信機能を有している。マイコン２６は、メモリに格納されたプログラムを実行する。マイコン２６の外部インタフェースの出力部には図示しないドライブ回路を介して一対の発光素子２２、２３が接続され、アナログ−デジタル変換器を内蔵した入力部には図示しない増幅回路を介して受光素子２４及び温度検出素子２５が接続されている。
【００２７】
マイコン２６は、一対の発光素子２２、２３を近赤外光を含む光を発するように制御し、受光素子２４及び温度検出素子２５から受信する信号に基づいて、被検体の血中ヘモグロビン濃度や体温にかかる生体情報を取得する制御部として機能する。また、マイコン２６は、無線通信機能により外部の端末装置と通信する通信部として機能する。
【００２８】
熱伝導部材３０は、例えば、銅やアルミニウムなどの熱伝導率の良好な金属（熱抵抗の比較的低い金属）で構成されている。熱伝導部材３０は、ケース１１の平面視形状と同一形状の矩形平板状に形成された伝導部３１と、伝導部３１の周縁部３１ａにおいて上方に向けて突出した環状の接触部３２と、を一体に有している。
【００２９】
熱伝導部材３０の伝導部３１は、基板２１の上面２１ａに重ねて配置されており、周縁部３１ａとケース１１の周壁１１ｂの上端との間にフランジ１５の内周縁１５ａを挟んで保持している。また、伝導部３１の上面３１ｂにおける接触部３２より内側の箇所に、カバー１２の基部１３が重ねて配置されている。即ち、伝導部３１はケース体１０内に収容され、接触部３２はケース体１０外に露出されている。カバー１２と熱伝導部材３０とで、ケース１１の開口を気密に塞いでいる。
【００３０】
熱伝導部材３０の伝導部３１は、基板２１を間に挟んで温度検出素子２５と対向している。そのため、伝導部３１の熱は、基板２１を介して温度検出素子２５のパッケージ２５ａに伝わる。即ち、伝導部３１は、温度検出素子２５と熱的に結合するように配置されている。
【００３１】
熱伝導部材３０の伝導部３１における一対の発光素子２２、２３及び受光素子２４に対応する箇所には、厚さ方向に貫通する貫通孔３１ｃ、３１ｄ及び３１ｅが形成されている。これら貫通孔３１ｃ、３１ｄ及び３１ｅには、それぞれ発光素子２２、２３及び受光素子２４が収容されている。受光素子２４が収容された貫通孔３１ｅの周縁には、上方に突出した環状突部３３が設けられている。
【００３２】
熱伝導部材３０の伝導部３１の上面３１ｂは、一対の発光素子２２、２３の発光面２２ａ、２３ａより上方（基板２１からより離れた位置）にある。環状突部３３の上端は、受光素子２４の受光面２４ａより上方にある。すなわち、発光素子２２と受光素子２４との間には、伝導部３１の一部分３１ｆが配置され、発光素子２３と受光素子２４との間には、伝導部３１の他部分３１ｇが配置されており、発光面２２ａ、２３ａから受光面２４ａに至るためには、伝導部３１の一部分３１ｆ、他部分３１ｇを回り込まなければならず、発光面２２ａ、２３ａと受光面２４ａとを直線経路で結ぶことはできない。換言すると、伝導部３１の一部分３１ｆ、他部分３１ｇは、一対の発光素子２２、２３に対して受光素子２４を隠しており、一対の発光素子２２、２３が発した光が受光素子２４に直接受光されることを抑制する遮光壁部として機能している。
【００３３】
次に、センサモジュール１のマイコン２６における体温検出処理の一例について説明する。
【００３４】
マイコン２６は、例えば、無線通信機能により外部の端末装置から体温計測要求信号を受信すると、以下の体温計測処理を実行する。
【００３５】
体温計測処理において、マイコン２６は、温度検出素子２５が出力する信号に基づいて周期的（例えば、１秒周期）に温度検出素子２５の出力する信号に基づき温度を検出する。マイコン２６は、検出した温度が基準温度（例えば、摂氏３３度）より低いとき、一対の発光素子２２、２３を発光させる。これにより、図３において矢印で模式的に示すように、発光素子２２が発する熱が熱伝導部材３０の伝導部３１に伝わって熱伝導部材３０が温められ、即ち、予熱される。発光素子２３でも同様である。熱伝導部材３０の熱は基板２１を介して温度検出素子２５のパッケージ２５ａに伝わる。マイコン２６は、検出した温度が基準温度以上になると、一対の発光素子２２、２３の発光を停止する。即ち、マイコン２６は、予熱制御部として機能する。なお、熱伝導部材３０を予熱する処理を省略した構成としてもよい。
【００３６】
そして、図４に示すように、センサモジュール１が被検体Ｈに装着されると、フランジ１５が外側に広がるように変形し、カバー１２の突出部１４と、熱伝導部材３０の接触部３２とが被検体Ｈに接触する。これにより、図４において矢印Ｌ１、Ｌ２で模式的に示すように、被検体Ｈの熱が熱伝導部材３０の接触部３２から伝導部３１に伝わり、基板２１を介して温度検出素子２５のパッケージ２５ａに伝わる。特に矢印Ｌ２の経路では、基板２１を厚さ方向に進むため、熱伝導部材３０から最短距離でパッケージ２５ａに伝わる。
【００３７】
そして、マイコン２６は検出した温度を無線通信により外部の端末装置に送信する。マイコン２６は、外部の端末装置から体温計測停止信号を受信すると、上記体温計測処理を終了する。
【００３８】
本実施形態のセンサモジュール１は、近赤外光を被検体Ｈに照射する一対の発光素子２２、２３と、被検体Ｈを経由した近赤外光を受光する受光素子２４と、を備えている。センサモジュール１は、一対の発光素子２２、２３及び受光素子２４を収容するケース体１０と、ケース体１０に収容された温度検出素子２５と、ケース体１０内において温度検出素子２５と熱的に結合された伝導部３１、及び被検体Ｈに接触可能なようにケース体１０から露出された接触部３２を一体に有する熱伝導部材３０と、を備えている。このようにしたことから、熱伝導部材３０によって被検体Ｈの体温を温度検出素子２５に効率的に伝えることができる。
【００３９】
上記センサモジュール１は、熱伝導部材３０が、一対の発光素子２２、２３に近接して配置され、温度検出素子２５によって検出された温度に基づき、一対の発光素子２２、２３から近赤外光を照射して熱伝導部材３０を予熱する。このようにしたことから、熱伝導部材３０をあらかじめ被検体Ｈの体温に近い温度まで温めることができるので、熱伝導部材３０が温まるまでの時間を短縮することができる。
【００４０】
上記センサモジュール１は、ケース体１０に収容され、一対の発光素子２２、２３及び受光素子２４が上面２１ａに実装された基板２１をさらに備え、熱伝導部材３０の伝導部３１が、一対の発光素子２２、２３に対して受光素子２４を隠すように基板２１の上面２１ａに配置された遮光壁部（一部分３１ｆ、他部分３１ｇ）を有している。このようにしたことから、遮光壁部によって一対の発光素子２２、２３が照射した近赤外光が受光素子２４に直接受光されることを抑制できるので、計測ノイズを低減することができる。
【００４１】
上記センサモジュール１によれば、被検体Ｈの体温計測に要する時間を短縮しかつ精度を向上できる。
【００４２】
（第２実施形態）
図５は、本発明の第２実施形態にかかるセンサモジュールの斜視図である。図６は、図５のＢ−Ｂ線に沿う断面図である。図７は、図５に示すセンサモジュールが有する放熱部材を説明する斜視図である。
【００４３】
図５に示す第２実施形態のセンサモジュール２も、上述した第１実施形態のセンサモジュール１と同様に、ゴムバンドなどにより人の生体である被検体の腕や胸などに装着され、被検体の血中ヘモグロビン濃度、血中酸素濃度、心数及び体温などの生体情報を計測して、計測した生体情報を無線通信によりタブレット端末などの携帯端末に送信するものである。人以外の生体に装着してもよい。
【００４４】
図５、図６に示すように、センサモジュール２は、ケース体６０と、ケース体６０に収容された基板体７０と、熱伝導部材９０と、を有している。
【００４５】
ケース体６０は、センサモジュール２の筐体であり、ケース６１と、カバー６２と、を有している。
【００４６】
ケース６１は、合成樹脂製で中空箱状に形成されている。ケース６１は、図６に示すように、矩形平板状の下壁６１ａと、下壁６１ａの周縁から立接した周壁６１ｂと、周壁６１ｂの上端の開口を塞ぐように設けられた矩形平板状の上壁６１ｃと、上壁６１ｃの周縁部に設けられた上方に突出するフランジ部６１ｄと、を有している。ケース６１の上壁６１ｃには、平面視矩形状の開口６１ｅが形成されている。
【００４７】
カバー６２は、例えば、ＰＥＴシートなど、近赤外光を透過可能な透光性の合成樹脂シートで構成されている。カバー６２は、矩形平板状の基部６３と、基部６３の中央部に設けられた中空の突出部６４と、を有している。
【００４８】
カバー６２の基部６３は、図６に示すように、周縁部がケース６１の上壁６１ｃの内側の面に重ねられており、ケース６１の開口６１ｅを気密に塞いでいる。突出部６４は、帯状に延在する第１部分６４ａと、第１部分６４ａの長手方向中央においてさらに突出した平面視矩形状の第２部分６４ｂとが設けられている。第２部分６４ｂは、第１部分６４ａより突出している。突出部６４は、ケース６１の開口６１ｅから上方に突出するように配置されている。
【００４９】
基板体７０は、主基板７１と、主基板７１の上面７１ａに重ねられた副基板７２と、副基板７２の上面７２ａに実装された一対の発光素子７３、７４と、副基板７２の上面７２ａに実装された受光素子７５と、受光素子７５を囲う遮光ケース７６と、主基板７１の上面７１ａに実装された温度検出素子７７と、主基板７１の下面７１ｂに実装されたマイクロコンピュータ（以下、単に「マイコン」という。）７８と、放熱部材８０と、を有している。
【００５０】
主基板７１及び副基板７２は、例えば、ガラスエポキシ基板に銅箔で配線パターンが形成されたプリント基板である。
【００５１】
一対の発光素子７３、７４は、近赤外光を含む光を発する光源であり、赤外発光ダイオード素子又はレーザー素子などで構成されている。一対の発光素子７３、７４は、互いに間隔をあけて、カバー６２の突出部６４の第１部分６４ａの長手方向両端部に対応する箇所に、上方に向けて収容されている。一対の発光素子７３、７４は、カバー６２を透過して上方に向けて光を発することができるように設けられている。
【００５２】
受光素子７５は、近赤外光に感度を有するセンサであり、フォトダイオードを用いて構成されている。受光素子７５は、一対の発光素子７３、７４と一直線上に並べられており、カバー６２の第２部分６４ｂの長手方向中央部に対応する箇所に、上方に向けて収容されている。受光素子７５は、カバー６２を透過した近赤外光を検出することができるように設けられている。受光素子７５は、受光した近赤外光に応じた信号を出力する。
【００５３】
遮光ケース７６は、遮光性を有する合成樹脂を用いて四角筒形状に形成され、内側に受光素子７５が収容されるように副基板７２の上面７２ａに設けられている。遮光ケース７６は、一対の発光素子７３、７４が発した光が受光素子７５に直接受光されることを抑制する。
【００５４】
温度検出素子７７は、パッケージ７７ａにおいて温度を検出する温度センサＩＣを用いて構成している。温度検出素子７７のパッケージ７７ａは、後述する熱伝導部材９０の伝導部９１と直接接するように配置されている。温度検出素子７７は、検出した温度に応じた信号を出力する。
【００５５】
マイコン７８は、組込機器向けのマイクロコンピュータであって、ＣＰＵ、メモリ、及び無線通信機能を有している。マイコン７８は、メモリに格納されたプログラムを実行する。マイコン７８の外部インタフェースの出力部には図示しないドライブ回路を介して一対の発光素子７３、７４が接続され、アナログ−デジタル変換器を内蔵した入力部には図示しない増幅回路を介して受光素子７５及び温度検出素子７７が接続されている。
【００５６】
マイコン７８は、一対の発光素子７３、７４を近赤外光を含む光を発するように制御し、受光素子７５及び温度検出素子７７から受信する信号に基づいて、被検体の血中ヘモグロビン濃度や体温にかかる生体情報を取得する制御部として機能する。また、マイコン７８は、無線通信機能により外部の端末装置と通信する通信部として機能する。また、マイコン７８は、上述した第１実施形態のマイコン２６と同様の体温計測処理を実行する。即ち、マイコン７８は、予熱制御部として機能する。
【００５７】
放熱部材８０は、図７に示すように、例えば、銅やアルミニウムなどの比較的良好な熱伝導性を有する金属製の板を所定形状に打ち抜くとともに折り曲げて形成されている。放熱部材８０は、副基板７２の上面７２ａに重ねて配置される平板板状の熱吸収部８１と、断面がＵ字となる樋状に折り曲げられ、ケース６１の周壁６１ｂを貫通して外部に露出されている熱放出部８２と、を有している。
【００５８】
放熱部材８０の熱吸収部８１は、一対の発光素子７３、７４及び遮光ケース７６に対応する箇所に貫通孔８１ａ、８１ｂ及び８１ｃが形成されている。これら貫通孔８１ａ、８１ｂ及び８１ｃ内に一対の発光素子７３、７４及び遮光ケース７６が配置されている。これにより、熱吸収部８１は一対の発光素子７３、７４に近接して配置されているので、これら一対の発光素子７３、７４が発する熱を吸収する。熱吸収部８１が吸収した熱は熱放出部８２に伝わり、熱放出部８２から大気中に放出される。即ち、放熱部材８０は、ケース体６０内において一対の発光素子７３、７４と熱的に結合された熱吸収部８１、及びケース体６０から露出された熱放出部８２を一体に有している。
【００５９】
熱伝導部材９０は、例えば、銅やアルミニウムなどの熱伝導率の良好な金属（熱抵抗の比較的低い金属）で構成されている。熱伝導部材９０は、カバー６２の基部６３を貫通して配置された伝導部９１と、外縁形状がケース６１の開口６１ｅとほぼ同じ形状でかつ内縁形状がカバー６２の突出部６４の平面視形状とほぼ同じ形状のとなる板環状の接触部９２と、を一体に有している。熱伝導部材９０は、接触部９２がケース６１の開口６１ｅ内においてカバー６２の基部６３に重ねられてその内側に突出部６４が突出するように配置されており、伝導部９１がケース体６０内において温度検出素子７７のパッケージ７７ａと接して当該温度検出素子７７と熱的に結合するように配置されている。即ち、伝導部９１はケース体６０内に収容され、接触部９２はケース体６０外に露出されている。
【００６０】
本実施形態のセンサモジュール２も、上述した第１実施形態のセンサモジュール１と同様の作用効果を奏する。
【００６１】
そして、上記センサモジュール２は、ケース体６０内において一対の発光素子７３、７４と熱的に結合された熱吸収部８１、及びケース体６０から露出された熱放出部８２を一体に有する放熱部材８０をさらに備えている。このようにしたことから、一対の発光素子７３、７４から発生する熱が放熱部材８０によってケース体６０の内側から外側に放出されるので、ケース体６０内に熱がこもることによる温度検出への影響を抑制することができる。
【００６２】
上記センサモジュール２によれば、被検体の体温計測に要する時間を短縮しかつ精度を向上できる。
【００６３】
なお、上記に本実施形態及びその適用例を説明したが、本発明はこれらの例に限定されるものではない。前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００６４】
（第１実施形態）
１          センサモジュール
１０        ケース体
１１        ケース
１１ａ      （ケースの）下壁
１１ｂ      （ケースの）周壁
１２        カバー
１３        （ケースの）基部
１４        （ケースの）突出部
１５        フランジ
１５ａ      （フランジの）内周縁
１５ｂ      （フランジの）外周縁
２０        基板体
２１        基板
２１ａ      （基板の）上面
２１ｂ      （基板の）下面
２２、２３  発光素子
２２ａ、２３ａ  （発光素子の）発光面
２４        受光素子
２４ａ      （受光素子の）受光面
２５        温度検出素子
２５ａ      （温度検出素子の）パッケージ
２６        マイクロコンピュータ（予熱制御部）
３０        熱伝導部材
３１        伝導部
３１ａ      （伝導部の）周縁部
３１ｂ      （伝導部の）上面
３１ｃ〜３１ｅ  （伝導部の）貫通孔
３１ｆ      （伝導部の）一部分（遮光壁部）
３１ｇ      （伝導部の）他部分（遮光壁部）
３２        接触部
３３        環状突部
（第２実施形態）
２          センサモジュール
６０        ケース体
６１        ケース
６１ａ      （ケースの）下壁
６１ｂ      （ケースの）周壁
６１ｃ      （ケースの）上壁
６１ｄ      （ケースの）フランジ部
６１ｅ      （ケースの）開口
６２        カバー
６３        （カバーの）基部
６４        （カバーの）突出部
６４ａ      （突出部の）第１部分
６４ｂ      （突出部の）第２部分
７０        基板体
７１        主基板
７１ａ      （主基板の）上面
７１ｂ      （主基板の）下面
７２        副基板
７２ａ      （副基板の）上面
７３、７４  発光素子
７５        受光素子
７６        遮光ケース
７７        温度検出素子
７７ａ      （温度検出素子）パッケージ
７８        マイクロコンピュータ（予熱制御部）
８０        放熱部材
８１        熱吸収部
８１ａ〜８１ｃ  （熱吸収部の）貫通孔
８２        熱放出部
９０        熱伝導部材
９１        伝導部
９２        接触部
【図１】
2018143259.tif 000003
【図２】
2018143259.tif 000004
【図３】
2018143259.tif 000005
【図４】
2018143259.tif 000006
【図５】
2018143259.tif 000007
【図６】
2018143259.tif 000008
【図７】
2018143259.tif 000009